(57)【要約】      （修正有）【課題】構造が簡単で、運動能力が衰えたり、足が不自由な高齢者でも容易かつ確実に運動ができる運動用椅子を提供する。【解決手段】前側の左右の主脚２と後側の左右の主脚４を補強パイプ等で一体化し、４つの主脚２、４で座部を支持し、後ろ側の左右の主脚４で背凭れ部を支持する。左側の前後の主脚２、４の間と右側の前後の主脚の間に、各々利用者が座位で横を向いて掴む第１の運動用取っ手部５０、５１を配設する。この際、第１の運動用取っ手部５０、５１は、利用者の脇腹から横外側へ離した位置に配設する。また、前側の左右の主脚２の間の座部の下側に、利用者が座位のまま掴む第２の運動用取っ手部６０を配設する。【選択図】図４
0003176944.tif 000002
【実用新案登録請求の範囲】
【請求項１】
前側の左右の主脚と後側の左右の主脚が一体化されるとともに、４つの主脚に支持された座部と後側の左右の主脚に支持された背凭れ部を有し、
左側の前後の主脚の間と右側の前後の主脚の間に、各々利用者が座位で横を向いて掴む第１の運動用取っ手部を配設したこと、
を特徴する運動用椅子。
【請求項２】
第１の運動用取っ手部を、利用者の脇腹から横外側へ離した位置に配設したこと、
を特徴とする請求項１記載の運動用椅子。
【請求項３】
前側の左右の主脚の間の座部と同じか低い位置に、利用者が座位のまま前向きで掴む第２の運動用取っ手部を配設したこと、
を特徴とする請求項１または２記載の運動用椅子。
【請求項４】
後ろ側の左右の主脚の間に、利用者が立位で掴む第３の運動用取っ手部を配設したこと、
を特徴とする請求項１または２または３記載の運動用椅子。
【請求項５】
後ろ側の左の主脚の後方に該左の主脚と一体化された補助脚を追加するとともに、後ろ側の右の主脚の後方に該右の主脚と一体化された補助脚を追加し、
後ろ側の左の主脚と左の補助脚の間と、後ろ側の右の主脚と右の補助脚の間に、各々利用者が立位で掴む第４の運動用取っ手部を配設したこと、
を特徴とする請求項１または２または３または４記載の運動用椅子。
【考案の詳細な説明】
【技術分野】
【０００１】
本考案は運動用椅子に係り、とくに椅子に坐った姿勢で確実な運動ができる運動用椅子に関する。
【背景技術】
【０００２】
病気やケガ、老化の予防には日常的な運動が重要であるが、高齢者は運動不足により病気になったり、ケガをしたりする場合が多い。従来の運動補助機器として、実用新案登録第３１１９１３４号に示す如き自転車型トレーニングマシンがある。このマシンは固定位置でペダルを漕ぐことにより、主に足の筋力を鍛えることができるようになっている。
【０００３】
しかしながら、上記マシンは自転車に乗るのと同じ姿勢をとらなければならず、運動能力が衰えたり、足が不自由な高齢者にとっては、マシンのサドルに乗れないか、乗れても姿勢が不安定になってしまって運動にならない場合が多く、不向きである。また、構造が複雑で高価なものになってしまう欠点がある。
【先行技術文献】
【特許文献】
【０００４】
【特許文献１】実用新案登録第３１１９１３４号
【考案の概要】
【考案が解決しようとする課題】
【０００５】
本考案は上記した従来技術の問題に鑑み、構造が比較的簡単であり、運動能力が衰えたり、足が不自由な高齢者でも容易かつ確実に運動することのできる運動用椅子を提供することを、その目的とする。
【課題を解決するための手段】
【０００６】
本考案の請求項１記載の運動用椅子では、前側の左右の主脚と後側の左右の主脚が一体化されるとともに、４つの主脚に支持された座部と後側の左右の主脚に支持された背凭れ部を有し、左側の前後の主脚の間と右側の前後の主脚の間に、各々利用者が座位で横を向いて掴む第１の運動用取っ手部を配設したこと、を特徴している。
なお、第１の運動用取っ手部は、利用者の脇腹から横外側へ離した位置に配設しても良い。
また、前側の左右の主脚の間の座部と同じか低い位置に、利用者が座位のまま掴む第２の運動用取っ手部を配設しても良い。
また、後ろ側の左右の主脚の間に、利用者が立位で掴む第３の運動用取っ手部を配設しても良い。
また、後ろ側の左の主脚の後方に該左の主脚と一体化された補助脚を追加するとともに、後ろ側の右の主脚の後方に該右の主脚と一体化された補助脚を追加し、後ろ側の左の主脚と左の補助脚の間と、後ろ側の右の主脚と右の補助脚の間に、各々利用者が立位で掴む第４の運動用取っ手部を配設しても良い。
【考案の効果】
【０００７】
本考案によれば、左側の前後の主脚の間と右側の前後の主脚の間に利用者が座位で横を向いて掴むことのできる第１の運動用取っ手部を配設したので、運動能力が衰えたり、足が不自由な高齢者でも座位で横を向いて両手で第１の運動用取っ手部を掴むことにより、上半身を左または右に捻る方向の運動を安定して簡単かつ確実に実行でき、また運動用椅子の構造も簡単で済む。
また、第１の運動用取っ手部を利用者の脇腹から横外側へ離した位置に配設したので、上半身を左または右に捻る方向の運動を窮屈になることなく円滑に行なえる。
また、前側の左右の主脚の間の座部と同じか低い位置に利用者が座位で前を向いて掴むことのできる第２の運動用取っ手部を配設したので、運動能力が衰えたり、足が不自由な高齢者でも、座位で前を向いて第２の運動用取っ手部を両手で掴み持ち上げるように力を加えたり、両手で掴んだまま上半身を反らしたりすることにより、腕の筋力や背筋力を鍛える運動を安定して簡単かつ確実に実行できる。
また、後ろ側の左右の主脚の間に利用者が立位で掴むことのできる第３の運動用取っ手部を配設したので、運動能力が衰えたり、足が不自由な高齢者でも、第３の運動用取っ手部を両手または片手で掴むことにより、立位での前後開脚等の足腰の運動を安定して簡単かつ確実にできる。
また、左の後ろ側の主脚と補助脚の間と、右の後ろ側の主脚と補助脚の間に各々、配設された第４の運動用取っ手部を両手または片手で掴むことによって、運動スペースを確保しながら立位での屈伸等の足腰の運動を安定して簡単かつ確実にできる。
【図面の簡単な説明】
【０００８】
【図１】本考案の一実施例に係る運動用椅子の外観斜視図である（実施例１）。
【図２】図１の右側面図である。
【図３】図１の正面図である。
【図４】運動用椅子の使用例を示す説明図である。
【図５】運動用椅子の使用例を示す説明図である。
【図６】運動用椅子の使用例を示す説明図である。
【考案を実施するための形態】
【０００９】
以下、本考案の最良の形態を実施例に基づき説明する。
【実施例１】
【００１０】
図１乃至図３を参照して本考案の一実施例を説明する。図１は本考案に係る運動用椅子の外観斜視図、図２は運動用椅子の右側面図、図３は運動用椅子の正面図である。
図１乃至図３において、１は運動用椅子であり、プラスチック被覆された鋼製の中空パイプフレーム構造の骨格を有している。具体的に説明すると、まず運動用椅子１の内、２と３は左右前側の主脚、４と５は左右後ろ側の主脚である。後ろ側の主脚４、５は前側の主脚２、３より２倍近く高くなっている。６と７は後ろ側の主脚４、５より更に後ろ側に配設された左右の補助脚であり、後ろ側の主脚４、５と同じ高さになっている。左側の主脚２、４、補助脚６の下端には補強パイプ８がジョイント９、１０、１１により一体的に固定されており、右側の主脚３、５、補助脚７の下端には補強パイプ１２がジョイント１３、１４、１５により一体的に固定されている。左右の補強パイプ８、１２には後ろ側の主脚４、５の下端近くに左右に水平に配設された補強パイプ１６がジョイント１７、１８により一体的に固定されている。また、後ろ側の主脚４、５の間の高さ方向に見て真ん中より下に、補強パイプ１９がジョイント２０、２１により一体的に固定されている。
左側の主脚２と４、補助脚５は１つの鉛直面内に配置されており、右側の主脚３と５、補助脚６は別の１つの鉛直面内に配置されている。前側の主脚２、３と最後方の補助脚６、７は鉛直に立設されているが、後ろ側の主脚４、５はわずかに後ろ斜め上向きに傾けて立設されている。
４つの主脚２、３、４、５に２つの補助脚６、７が追加されたことで、前後に傾く方向への安定化が図られている。また、左右の主脚２と３の間隔が通常の椅子より広く形成されており、左右に傾く方向への安定化が図られている。
【００１１】
２２は利用者が腰を降ろす座部である。座部２２は、左側の主脚２、４の間に配設されたパイプ２３、パイプ２３を主脚２、４に一体的に固定するジョイント２４、２５、右側の主脚３、５の間にパイプ２３と平行に配設されたパイプ２６、パイプ２６を主脚３、５に一体的に固定するジョイント２７、２８、左右のパイプ２３、２６の間に左右水平に配設された前後２本のパイプ２９、３０、パイプ２９、３０を各々パイプ２３、２６に一定的に固定するジョイント３１、３２、３３、３４、パイプ２９、３０に図示しない金具により着脱自在に取り付けられたクッション３５を有している。パイプ２３、２６は水平から少し後ろ斜め下向きに配設されている。ジョイント２４、２５、２７、２８は所謂、角度フリージョイントであり、主脚２と４、主脚３と５に対する高さ方向の取り付け位置を変えることで座部２２の高さを変更可能になっている。
３６は利用者が背中を凭れさせる背凭れ部である。背凭れ部３６は、左右の主脚４、５の間に左右水平に配設された上下２本のパイプ３７、３８、パイプ３７、３８を各々主脚４、５に一定的に固定するジョイント３９、４０、４１、４２、パイプ３７、３８に図示しない金具により着脱自在に取り付けられたクッション４３を有している。
【００１２】
５０、５１は座位の利用者の脇横に相当する個所に設けられて、利用者が座位で掴んで横向きの安定した運動をするために用いる左右一対のパイプ状の第１の運動用取っ手部（以下、「第１の取っ手部」と略す）である。左側の第１の取っ手部５０は、左側の主脚２の上端と後ろ側の主脚４の高さ方向の略中央に前後水平に配設されたパイプ５２と、パイプ５２の両端を主脚２の上端と主脚４の途中に一体的に固定するジョイント５３、５４から成り、右側の第１の取っ手部５１は、右側の主脚３の上端と後ろ側の主脚５の高さ方向の略中央に前後水平に配設されたパイプ５５と、パイプ５５の両端を主脚３の上端と主脚５の途中に一体的に固定するジョイント５６、５７から成る。第１の取っ手部５０、５１は、利用者の脇腹から横外側に離れた位置に配置されており、運動が窮屈にならないようになっている。
６０は座位の利用者の膝下近くに相当する個所に設けられて、利用者が座位で掴んで前向きの運動をするために用いるパイプ状の第２の運動用取っ手部（以下、「第２の取っ手部」と略す）であり、左右の主脚２、３の座部２２のすぐ下側に左右水平に配設されたパイプ６１と、パイプ６１の両端を左右の主脚２、３に一体的に固定するジョイント６２、６３から成る。
【００１３】
７０は立位の利用者の胸乃至腰の高さに相当する個所に設けられて、利用者が椅子の後ろ側で立位で掴んで安定した運動をするために用いるパイプ状の第３の運動用取っ手部（以下、「第３の取っ手部」と略す）であり、左右の後ろ側の主脚４、５の上端に左右水平に配設されたパイプ７１と、パイプ７１の両端を主脚４、５の上端に一体的に固定するジョイント７２、７３とから成る。
８０、８１は立位の利用者の胸乃至腰の高さに相当する個所に設けられて、利用者が椅子の後ろ側で立位で掴んで安定した運動をするために用いる左右一対のパイプ状の第４の運動用取っ手部（以下、「第４の取っ手部」と略す）であり、この内、左側の第４の取っ手８０は左側の主脚４と補助脚６の上端に前後水平に配設されたパイプ８２と、該パイプ８２の両端を主脚４と補助脚６の上端に一体的に固定するジョイント７２、８３から成り、右側の第４の取っ手８１は右側の主脚５と補助脚７の上端に前後水平に配設されたパイプ８４と、該パイプ８４の両端を主脚５と補助脚７の上端に一体的に固定するジョイント７３、８５から成る。
９０、９１は立位の利用者の胸乃至腰の高さに相当する個所に設けられて、利用者が椅子の後ろ側で立位で安定した運動をするために用いるパイプ状の第４の取っ手部であり、８０、８１より一段低く配設されている。左側の第４の取っ手部９０は左側の主脚４と補助脚６の内、上端より一段低い位置に前後水平に配設されたパイプ９２と、パイプ９２の両端を主脚４と補助脚６に一体的に固定するジョイント９３、９４から成り、右側の第４の取っ手部９１は右側の主脚５と補助脚７の内、上端より一段低い位置（パイプ９２と同じ高さ）に前後水平に配設されたパイプ９５と、パイプ９５の両端を主脚５と補助脚７に一体的に固定するジョイント９６、９７から成る。
第４の取っ手部８０、８１（９０、９１）は第３の取っ手部７０に比べて前後に運動スペースを確保しながら、両手をより開いた状態で運動可能とする。また、第４の取っ手９０、９１は８０、８１より一段低いので、背の低い人が使用したり、中腰などの低い姿勢で運動する場合に利用できる。
運動用椅子１は以上のように構成されており、クッション３５、４３以外の部分はプラスチック被覆された鋼製部材かる成る。
【００１４】
次に、上記した運動用椅子の使用方法を説明する。
例えば、座位で上半身を右に捻る運動をしたい場合、図４に示す如く、利用者が座部２２に坐った状態で上半身を右に向けるようにして両手で右脇側の第１の取っ手部５０を掴む。これにより、安定した姿勢で簡単かつ確実に右捻り運動を行なうことができる。反対に座位で上半身を左に捻る運動をしたい場合、利用者が座部２２に坐った状態で上半身を左に向けるようにして両手で左脇側の第１の取っ手部５１を掴む。これにより、安定して簡単かつ確実に左捻り運動を行なうことができる。この際、第１の取っ手５０、５１は利用者の脇腹から離れているので窮屈になることなく円滑な運動ができる。また、左右の主脚２と３の間が広いので、上半身を左右に捻ったときに体重心が左右にずれても、運動用椅子１が左右に傾くことはない。
また、座位で腕力や背筋力を鍛えたい場合、利用者が座部２２に坐った状態で前を向いて座部２２の下の第２の取っ手部６０を両脇で両手で掴み、持ち上げる方向に力を加えたり、第２の取っ手部６０を掴んだまま上半身を後ろに反らすようにする。これにより、安定した姿勢で簡単かつ確実に腕力や背筋力を鍛えることができる。
【００１５】
これと異なり、立位で足の筋力を鍛えたり、股関節を柔軟にしたりアキレス腱を伸ばしたりしたい場合、図５に示す如く、利用者は運動用椅子１の後ろに立ち、両手で第３の取っ手部７０を掴み、足を前後に開き前足に体重を掛けたり、アキレス腱を伸ばしたりする。これにより、安定した姿勢で簡単かつ確実に大腿筋等の足の筋力を鍛えたり、股関節を柔軟にしたり、アキレス腱を伸ばしたりすることができる。
また、下半身の屈伸など前後に運動スペースを確保したい場合、図６に示す如く、利用者は運動用椅子１の後ろに立ち、両手で第４の取っ手８０、８１を掴み、片足立ちまたは両足立ちになって屈伸をする。これにより、安定した姿勢で簡単かつ確実に大腿筋等の足の筋力を鍛えることができる。なお、背か低い人や低い姿勢で運動したい人は、一段低い第４の取っ手部９０、９１を掴むようにすれば良い。
運動用椅子１が通常の４つの主脚２、３、４、５に加えて補助脚６、７を備えているので、立位での運動の際に、運動用椅子１が前後に傾くことはない。
【００１６】
この実施例によれば、左側の前後の主脚２、４の間と右側の前後の主脚３、５の間に各々、利用者が座位で横を向いて掴むことのできる第１の取っ手部５０、５１を配設したので、運動能力が衰えたり、足が不自由な高齢者でも座位で横を向いて両手で第１の取っ手部５０、５１を掴むことにより、上半身を左または右に捻る方向の運動を安定した姿勢で簡単かつ確実に実行できる。
また、第１の取っ手部５０、５１を利用者の脇腹から横外側へ離した位置に配設したので、上半身を左または右に捻る方向の運動を窮屈になることなく円滑に行なえる。
また、前側の左右の主脚２、３の間の座部２２と同じか低い位置に利用者が座位で前を向いて掴むことのできる第２の取っ手部６０を配設したので、運動能力が衰えたり、足が不自由な高齢者でも、座位で前を向いて第２の取っ手部６０を両手で掴み持ち上げるように力を加えたり、両手で掴んだまま上半身を反らしたりすることにより、腕の筋力や背筋力を鍛える運動を安定した姿勢で簡単かつ確実に実行できる。
また、後ろ側の左右の主脚４、５の間に利用者が立位で掴むことのできる第３の取っ手部７０を配設したので、運動能力が衰えたり、足が不自由な高齢者でも、第３の取っ手部７０を両手または片手で掴むことにより、立位での前後開脚等の足腰の運動を安定した姿勢で簡単かつ確実にできる。
また、左の後ろ側の主脚４と補助脚６の間と、右の後ろ側の主脚５と補助脚７の間に各々、配設された第４の取っ手部８０、８１（９０、９１）を両手または片手で掴むことによって、運動スペースを確保しながら立位での屈伸等の足腰の運動を安定した姿勢で簡単かつ確実にできる。
また、４つの主脚２、３、４、５に２つの補助脚６、７を追加したので前後に傾く方向の安定性が高く、左右の主脚２、４の間隔を広くしたので左右に傾く方向の安定性も高い。
また、全体がパイプフレーム構造であり、通常の椅子の構造と比べて部材を幾つか追加するだけでよく、構成が簡単で済む。
また、背凭れ部３６が少し後ろ斜め上向きに傾斜し、座部２２も後ろ斜め下向きに傾斜しているので、座位姿勢が楽になる。
【００１７】
なお、上記した実施例では、第４の取っ手を上下２段としたが３段以上としても良い。また、座部や背凭れ部のクッションの横幅を左右の主脚の幅より狭くして座部や背凭れ部を構成するパイプを利用者が掴んで運動可能としても良い。
また、上記した使用例以外の種々の運動に使用できるのは言うまでもなく、第１乃至第４の取っ手部を全て両手を使う場合を例示したが、片方の手だけ掴んで運動することもできる。
【産業上の利用可能性】
【００１８】
本考案は、高齢者介護サービス施設において集団で運動をする場合や自宅にて高齢者や足の不自由な人が運動不足を解消したい場合などに適用可能である。
【符号の説明】
【００１９】
１  運動用椅子
２、３、４、５  主脚
６、７  補助脚
２２  座部
３６  背凭れ部
５０、５１  第１の運動用取っ手部
６０  第２の運動用取っ手部
７０  第３の運動用取っ手部
８０、８１、９０、９１  第４の運動用取っ手部
【図１】
0003176944.tif 000003
【図２】
0003176944.tif 000004
【図３】
0003176944.tif 000005
【図４】
0003176944.tif 000006
【図５】
0003176944.tif 000007
【図６】
0003176944.tif 000008